(57)【要約】      （修正有）【課題】短時間且つ容易に既設の排水トラップの排水機能および封水機能を回復できるとともに、長期間にわたる使用が可能な排水トラップ改修用部品を提供する。【解決手段】本排水トラップ改修用部品２０は、既設の排水トラップの立上りに挿入される挿入パイプ部２０ａと、該挿入パイプ部の上端である開口端から所定長さだけ下がった位置における前記挿入パイプ部の外周から外側へ放射状に延在した後、前記開口端より高い位置まで延在することにより椀状に形成された封水部２０ｂとを具える。【選択図】図２
0003160407.tif 000002
【実用新案登録請求の範囲】
【請求項１】
既設の排水トラップの立上りに挿入される挿入パイプ部と、
前記挿入パイプ部の上端である開口端から所定長さだけ下がった位置における前記挿入パイプ部の外周から外側へ放射状に延在した後、前記開口端より高い位置まで延在することにより椀状に形成された封水部と、
を具えることを特徴とする排水トラップ改修用部品。
【請求項２】
前記封水部の、前記開口端より高い位置まで延在した排水流入側の縁部から外側へ放射状に延在したフランジ部が形成されていることを特徴とする請求項１に記載の排水トラップ改修用部品。
【請求項３】
前記挿入パイプ部は、既設の排水トラップの底部に連結された排水パイプに達する長さを有することを特徴とする請求項１または２に記載の排水トラップ改修用部品。
【考案の詳細な説明】
【技術分野】
【０００１】
本考案は、既設の排水トラップの改修に用いられる排水トラップ改修用部品に関するものである。
【背景技術】
【０００２】
一般に、浴室や洗い場などには排水設備として、下水道の悪臭および害虫などが室内へ侵入するのを防ぐための排水トラップが設けられている。例えば、排水トラップは、図１（ａ）にその断面図を示すように、トラップ本体１と封水わん２とからなり、コンクリートスラブ１１に埋め込まれている。
トラップ本体１は、円筒状の胴部１ａと、この胴部１ａの内側に形成された円筒状の立上り１ｂと、胴部１ａの下端と立上り１ｂの下端とを接続する底部１ｃと、この底部１ｃの外周から延び排水パイプ３を連結するための連結部１ｄと、防水層１２を支持するために胴部１ａの外周から延在するフランジ状のつば部１ｅと、を具えている。また、図１（ｂ）にトラップ本体１の平面図を示すように、底部１ｃには、４個の凸部１ｆが設けられ、凸部１ｆ間が通水用の凹部となっている。なお、この種のトラップ本体を用いる場合、３個以上の凹部が設けられていることが一般的である。
立上り１ｂの上端である開口を覆うように、下向きに開口する封水わん２が取り付けられている。封水わん２の開口部は、凸部１ｆ上に水平に設置されている。
トラップ本体１の胴部１ａと立上り１ｂと底部１ｃとによって形成される領域に水が滞留すると、この滞留した水とトラップ本体１と封水わん２とによって、室内と排水パイプ３とが遮断される。なお、図示は省略しているが、通常、図中Ａで示す上面位置に排水トラップを覆うように目皿が設けられる。
【０００３】
ところで、以前に施工された排水トラップは、鋳物などの金属で作られている場合がある。このような金属製の排水トラップは、施工後１５〜２０年が経過すると、金属部分の発錆等により腐食して、排水機能および封水機能を果たすことができなくなる。そのために、例えば、下水道の悪臭および害虫などが室内へ侵入するといった問題が生じていた。特に、立上り１ｂおよび封水わん２の内面が腐食することが多く、封水わん２は容易に交換することができるが、立上り１ｂの改修方法として、従来様々な方法が提案されてきた。
【０００４】
例えば、特許文献１には、既設の排水トラップ本体の底部からコンクリートスラブを貫通するまで穿孔し、この穿孔に新たなパイプを挿入し、この穿孔とパイプの間の隙間に防水材を充填し、挿入したパイプと既設の排水トラップ本体の一部とを封水部として利用する方法が開示されている。
【０００５】
また、特許文献２には、排水トラップの立上りが発錆等により欠損していた場合、立上りの錆を除去した後、欠損部に接着剤を塗着して、欠損凹部を埋めるとともに、接着剤によって立上りを初期高さに復元する方法が開示されている。
【先行技術文献】
【特許文献】
【０００６】
【特許文献１】特開２００４−３１６４２２号公報
【特許文献２】特開平６−１２８９９４号公報
【考案の概要】
【考案が解決しようとする課題】
【０００７】
しかしながら、特許文献１に記載の方法では、既設の排水トラップの一部を利用するため、既設の排水トラップの全部を撤去して、新しい排水トラップを設置する場合に比べて施工方法が簡便になり、作業時間が短くなるという利点はあるものの、穿孔作業を要するため、穿孔機による騒音が大きく、多量のゴミ等が発生し、作業完了まで数日間を要するという問題がある。
一方、特許文献２に記載の方法では、穿孔作業を必要としないため応急処置としては有効ではあるが、復元した立上りが破損しやすく、復元作業後に長期間にわたって使用することはできないという問題が懸念される。
【０００８】
そこで、本考案の目的は、穿孔作業を必要とせず、短時間且つ容易に既設の排水トラップの排水機能および封水機能を回復できるとともに、長期間にわたる使用が可能な排水トラップ改修用部品を提供することにある。
【課題を解決するための手段】
【０００９】
本考案の排水トラップ改修用部品は、既設の排水トラップの立上りに挿入される挿入パイプ部と、前記挿入パイプ部の上端である開口端から所定長さだけ下がった位置における前記挿入パイプ部の外周から外側へ放射状に延在した後、前記開口端より高い位置まで延在することにより椀状に形成された封水部と、を具えることを特徴とする。
【００１０】
本考案の排水トラップ改修用部品は、前記封水部の、前記開口端より高い位置まで延在した排水流入側の縁部から外側へ放射状に延在したフランジ部が形成されていることが好適である。
【００１１】
本考案の排水トラップ改修用部品は、前記挿入パイプ部が、既設の排水トラップの底部に連結された排水パイプに達する長さを有することが好適である。
【考案の効果】
【００１２】
本考案により、短時間且つ容易に既設の排水トラップの排水機能および封水機能を回復できるとともに、長期間にわたる使用が可能な排水トラップ改修用部品を提供することができる。
【図面の簡単な説明】
【００１３】
【図１】従来の排水トラップを示す図である。
【図２】本考案の第１実施例に係る排水トラップ改修用部品を示す図である。
【図３】本考案の第１実施例に係る排水トラップ改修用部品の変形例を示す図である。
【図４】本考案の第１実施例に係る排水トラップ改修用部品が既設の排水トラップ本体内に挿入されている図である。
【図５】本考案の第１実施例に係る排水トラップ改修用部品を施工し、使用状態を説明するための図である。
【図６】封水わんの一例を示す図である。
【図７】封水わんのその他の例を示す図である。
【図８】本考案の第２実施例に係る排水トラップ改修用部品にその他の例の封水わんを設置している図である。
【図９】既設の排水トラップ本体の立上りの補修を説明するための図である。
【図１０】本考案の第３実施例に係る排水トラップ改修用部品が既設の排水トラップ本体内に挿入されている図である。
【図１１】本考案の第４実施例に係る排水トラップ改修用部品が既設の排水トラップ本体内に挿入されている図である。
【考案を実施するための形態】
【００１４】
以下、図面を参照して本考案を詳細に説明する。
図２（ａ）は本考案の第１実施例に係る排水トラップ改修用部品の断面図であり、図２（ｂ）は本考案の第１実施例に係る排水トラップ改修用部品の平面図である。
排水トラップ改修用部品２０は、既設の排水トラップの立上りに挿入される円筒状の挿入パイプ部２０ａと、封水部２０ｂと、フランジ部２０ｃと、を具えている。
封水部２０ｂは、挿入パイプ部２０ａの上端である開口端２０ａＥから所定長さｄ１だけ下がった位置２０ａＰの外周から外側へ放射状に延在した後、開口端２０ａＥより所定長さｄ２だけ高い位置まで延在することにより椀状に形成されている。以下に詳述するが、挿入パイプ部２０ａの開口端２０ａＥと位置２０ａＰの間の外周面と封水部２０ｂとの間に水が溜まることにより、本考案の封水機能を達成することができる。それゆえ、ｄ１が短すぎると十分な量の水を溜めることができないため、ｄ１は１０ｍｍ以上とすることが好ましく、さらに５０ｍｍ以上とすることがより好ましい。なお、ｄ１およびｄ２は既設の排水トラップの大きさおよび使用する封水わんの形状および大きさに合わせて決定すればよい。
フランジ部２０ｃは、封水部２０ｂの排水流入側の縁部から外側へ放射状に延在している。なお、本考案において、フランジ部２０ｃは必須ではないが、排水トラップ改修用部品２０と床面との接着性を高めるためや、流入を確実にして排水効率を高めるためなどの点から、フランジ部２０ｃを設けることが好ましい。図２（ｂ）に示すフランジ部２０ｃは円形であるが、四角形やその他の形状とすることもできる。
【００１５】
本考案の排水トラップ改修用部品２０は、金属、熱硬化性樹脂、熱可塑性樹脂等から選択される１種類以上の材料から製造される。金属としては、例えば、鋳鉄、黄銅、ステンレス等が使用されるが、耐食性の観点からはステンレスが好ましい。また、熱可塑性樹脂としては、例えば塩化ビニル樹脂であり、熱硬化性樹脂としては、例えば繊維強化不飽和ポリエステル樹脂（ＦＲＰ）であり、ガラス繊維強化不飽和ポリエステル樹脂（ＧＦＲＰ）を代表例としてあげることができる。
また、排水トラップ改修用部品２０は、パイプ部２０ａと封水部２０ｂとフランジ部２０ｃとを同一材料で一体成形することもできるし、別体で成形することもできる。例えば、パイプ部２０ａを塩化ビニル樹脂で作製し、この挿入パイプ部２０ａの外側に、ハンドレイアップ法等でＦＲＰを接着積層成形することにより封水部２０ｂとフランジ部２０ｃとを作製することもできる。
接着積層成形の際、プライマーを使用するとＦＲＰと塩化ビニル樹脂との間でより強力な接着力が得られるので好ましい。プライマーとしてはウレタン系のプライマーを用いることができる。
また、挿入パイプ部２０ａの長さｄ１およびｄ３をやや長めに作っておくことにより、仕様にあわせて作業現場で挿入パイプ部２０ａを適切な長さに切断することができるので好ましい。
【００１６】
挿入パイプ部２０ａを塩化ビニル樹脂で作製し、封水部２０ｂをＦＲＰで作製する場合は、例えば、図３（ａ）に示すように、挿入パイプ部２０ａの外周のある位置２０ａＰにおいて封水部２０ｂを接着してもよいし、図３（ｂ）に示すように、挿入パイプ部２０ａの外周上に挿入パイプ部２０ａの下端に向かってＦＲＰを接着して封水部２０ｂを作製してもよい。この場合、下方に向かい接着層に若干テーパーが付くが、このテーパーは小さいほうが好ましい。すなわち、接着層根元２０ｂＰの厚みｄｓが０．５ｍｍ〜３．０ｍｍとするのがよい。ｄｓが０．５ｍｍより小さいと接着層の強度が十分ではないおそれがあり、またｄｓが３．０ｍｍを超えると、排水トラップ改修用部品２０を既設の排水トラップに装着した際の安定性が損なわれるおそれがあるためである。
また、挿入パイプ部２０ａにテーパーを設けたくない場合は、図３（ｃ）に示すように、挿入パイプ部２０ａの外周に段差を設け、この段差を埋める形でＦＲＰを接着して封水部２０ｂを作製してもよいし、図３（ｄ）に示すように、挿入パイプ部２０ａの下端までを覆うようにＦＲＰを接着して封水部２０ｂを作製してもよい。
【００１７】
図４は本考案の第１実施例に係る排水トラップ改修用部品が既設の排水トラップ本体内に挿入されている図である。
円筒状の挿入パイプ部２０ａは、既設の排水トラップの立上り１ｂの内部に挿入される。挿入パイプ部２０ａは、排水パイプ３にまで達する長さｄ３を有することが好ましい。なぜなら、仮に、挿入パイプ部２０ａの長さｄ３が短く、挿入パイプ部２０ａが立上り１ｂの中間くらいまでしか達しない場合には、この部分の立上り１ｂは発錆等によって強度が低下しているので、挿入パイプ部２０ａを安定して保持することができないおそれがあるためである。なお、長さｄ３は、既設の排水トラップの大きさ等によって決定され、既設の排水パイプ３への挿入距離Ｄは、少なくとも１０ｍｍ程度確保されることが好ましい。
挿入パイプ部２０ａの外径は、立上り１ｂの内径より０．５ｍｍ〜８ｍｍほど小さいことが好ましく、０．５ｍｍ〜６ｍｍほど小さいことがさらに好ましい。なぜなら、挿入パイプ部２０ａの外径と立上り１ｂの内径との差が０．５ｍｍ未満の場合、挿入パイプ部２０ａを立上り１ｂの内部に挿入することが困難となるおそれがあるからである。一方、この差が８ｍｍ超の場合、挿入パイプ部２０ａと立上り１ｂとの間隙に注入するシーリング剤４ｂが十分でないと、排水トラップ改修用部品２０を固定することができないとともに、シール効果が低下するおそれがあるためである。
なお、挿入パイプ部２０ａの外径とは、図３（ｂ）の構成の場合、接着層根元２０ｂＰにおける外径を意味する。
封水部２０ｂの底部外側は既設の排水トラップの立上り１ｂの上端１ｂＥに接触しているため、この上端１ｂＥによって排水トラップ改修用部品２０が支持されている。封水部２０ｂの外径は、既設の排水トラップの胴部１ａの内径より小さい。
フランジ部２０ｃは接着剤５を介して床面１３の上に固定されている。このフランジ部２０ｃと床面１３および上述の上端１ｂＥとによって、排水トラップ改修用部品２０が支持されている。
【００１８】
次に、本考案の第１実施例に係る排水トラップ改修用部品を既設の排水トラップ本体内に挿入する手順について図４および図５を用いて説明する。
図１に示す排水トラップから封水わん２を取り外した後、立上り１ｂの内部の錆等を取り除く。
次に、好ましくは、胴部１ａと立上り１ｂと底部１ｃとに囲まれた空間、すなわち、既設の排水トラップ本体１の封水部にシーリング剤４ａ（あるいはモルタル）を注入する。この空間はシーリング剤４ａ等を注入せず空洞のままでもよいが、シーリング剤４ａ等を注入した方が排水トラップ改修用部品２０が固定され、さらに衛生上の観点からも好ましい。
次に、排水トラップ改修用部品２０を、既設の排水トラップ本体１の立上り１ｂの内部に挿入する。ここで、立上り１ｂの内周面および／または挿入パイプ部２０ａの外周面にシーリング剤４ｂを塗布しておくことが好ましい。シーリング剤としては、市販のシリコーン系のものおよびウレタン系のもの等、防水用のものを使用することができる。
なお、床面１３に存在するタイルの目地等はパテやモルタル等で処理し、平らにならしておくことが好ましい。フランジ部２０ｃと床面１３との間に接着剤５を塗布し、フランジ部２０ｃを床面１３に固定する。封水部２０ｂが長すぎて、フランジ部２０ｃと床面１３との間に間隙が生ずることがあるが、このような場合は、床面１３の上にモルタル層等を設けて調整すればよい。また、本考案の排水トラップ改修用部品を製造する際、その高さ等の寸法を、既設の排水トラップに合わせて製造することにより、上述した間隙を調整する作業を回避することも可能であり、できればこの方法が好ましい。
次に、図５に示すように、必要に応じて、フランジ部２０ｃの端の部分にシーリング剤４ｃを塗布し、モルタル６ａ等で段差を調整した後、通常の方法でＦＲＰ塗膜防水７等を施す。
そして、挿入パイプ部２０ａの開口を覆うように、新たな封水わん２１を被せ、封水部２０ｂに水を溜めると、本来の排水トラップが有していた封水機能および排水機能を回復して、下水道の悪臭および害虫などが室内へ侵入するのを防ぐことができる。
【００１９】
以上のように、既設の排水トラップ本体１が、発錆等によって排水機能および封水機能を果たさなくなった場合、本考案の排水トラップ改修用部品２０を用いることにより、穿孔作業を必要とせず、短時間且つ容易に既設の排水トラップの排水機能および封水機能を回復させることができる。
【００２０】
図６を用いて、図５に示す封水わん２１をさらに説明する。図６（ａ）は、封水わんの底面図、図６（ｂ）は封水わんの正面図を示す。封水わん２１は、その開口縁に、封水わん２１の外周側から内側に水を通過させるための水路２１ａを４箇所設けている。水路２１ａの間の筒状部２１ｂが、封水部２０ｂに接触し、封水わん２１を支持している。
【００２１】
図７は封水わんのその他の例を示す。図７（ａ）は封水わんの底面図であり、図７（ｂ）は、図７（ａ）における封水わんのＸ−Ｘ断面図、図７（ｃ）は、図７（ａ）における封水わんのＹ−Ｙ断面図である。
封水わん２２は、上部の内周に４個の凸部２２ａを有している。この凸部２２ａが挿入パイプ部２０ａの開口端２０ａＥ上に乗り、封水わん２２を支持する。言うまでもないが、封水わん２２の開口縁は封水部２０ｂに接触していない構造である。すなわち、わんの周囲を構成する筒状部２２ｂの長さｄ４が封水部２０ｂに接触しない長さに設定されている。
【００２２】
図８は、本考案の第２実施例に係る排水トラップ改修用部品に、その他の例の封水わんを設置している図である。
封水わん２３は、わん部とその上部の目皿部２３ｂとが一体に構成されている。目皿部２３ｂには、複数の流水用孔２３ｃが設けてある。
また、本考案の第２実施例に係る排水トラップ改修用部品５０は、そのフランジ部５０ｃに段差部５０ｄが設けてあり、この段差部５０ｄが目皿部２３ｂと接触して、封水わん２３を支持している。
【００２３】
また、図９に示すように、立上り１ｂの上端１ｂＥが腐食等によって凹部を有する場合、パテ２４等でこの凹部を埋めて、その上端１ｂＥの凹凸をならして水平にした後、本考案の排水トラップ改修用部品２０の挿入パイプ部２０ａを立上り１ｂの内部に挿入することが好ましい。あるいは、凸部を研磨して立上り１ｂの上端を水平にしてもよい。
立上り１ｂの上端１ｂＥが凹凸を有したままの状態で、本考案の排水トラップ改修用部品２０を挿入すると、この凹凸部分は封水部２０ｂの底部外側に接触して、排水トラップ改修用部品２０を支持することとなる。すると、排水トラップ改修用部品２０が不安定となるため、立上り１ｂの上端１ｂＥの凹凸をならすことが好ましい。
【００２４】
図１０は本考案の第３実施例に係る排水トラップ改修用部品が既設の排水トラップ本体内に挿入されている図である。
本考案の第３実施例に係る排水トラップ改修用部品３０のフランジ部３０ｃは、勾配１／１００〜１／２０で、排水側に向かって傾斜していることが好ましい。なぜなら、フランジ部３０ｃが床面に対して傾斜していると、排水溝に向かって勾配（テーパー）がつけられることとなり、水が流れやすいためである。
また、フランジ部３０ｃと従来の床面１３との間の間隙は、モルタル６ｂ等によって埋め、上述したのと同様の方法でＦＲＰ塗膜防水７を施す。
【００２５】
図１１は本考案の第４実施例に係る排水トラップ改修用部品が既設の排水トラップ本体内に挿入されている図である。
本考案の第４実施例に係る排水トラップ改修用部品４０は、フランジ部を有していない。ここで、封水部４０ｂと既設の排水トラップ本体１の外縁部１ｃとの間隙にはシーリング剤４ａを設けることが好ましい。また、必要に応じて、モルタル等で段差を調整した後、通常の方法で、封水部４０ｂの排水流入開口縁を覆うようにＦＲＰ塗膜防水７等が施されている。
そして、図示を省略するが、挿入パイプ部４０ａの開口を覆うように、新たな封水わんを被せ、封水部４０ｂに水を溜めると、本来の排水トラップが有していた封水機能および排水機能を回復して、下水道の悪臭および害虫などが室内へ侵入するのを防ぐことができる。
【符号の説明】
【００２６】
１      トラップ本体
１ａ    胴部
１ｂ    立上り
１ｃ    底部
１ｄ    連結部
１ｅ    つば部
１ｆ    凸部
２      封水わん
３      排水パイプ
４ａ    シーリング剤
４ｂ    シーリング剤
４ｃ    シーリング剤
５      接着剤
６ａ    モルタル
６ｂ    モルタル
７      ＦＲＰ塗膜防水層
１１    コンクリートスラブ
１２    防水層
１３    床面
２０    排水トラップ改修用部品
２０ａ  挿入パイプ部
２０ｂ  封水部
２０ｃ  フランジ部
２１    封水わん
２１ｂ  筒状部
２２    封水わん
２２ａ  凸部
２２ｂ  筒状部
２３    封水わん
２３ｂ  目皿部
２３ｃ  流水用孔
２４    パテ
３０    排水トラップ改修用部品
３０ｃ  フランジ部
４０    排水トラップ改修用部品
４０ａ  挿入パイプ部
４０ｂ  封水部
５０    排水トラップ改修用部品
５０ｃ  フランジ部
５０ｄ  段差部
【図１】
0003160407.tif 000003
【図２】
0003160407.tif 000004
【図３】
0003160407.tif 000005
【図４】
0003160407.tif 000006
【図５】
0003160407.tif 000007
【図６】
0003160407.tif 000008
【図７】
0003160407.tif 000009
【図８】
0003160407.tif 000010
【図９】
0003160407.tif 000011
【図１０】
0003160407.tif 000012
【図１１】
0003160407.tif 000013